(57)【要約】      （修正有）【課題】パッキン押えが降下してもパッキン押えの上面とヨークスリーブの下面の間に隙間を生じないようにする。【解決手段】弁箱の軸装部８に弁軸１２が上下動自在に軸装され、弁箱の軸装部８と弁軸１２の間にパッキン１９が介装され、パッキン１９の上方にパッキン押え輪２０を介してパッキン１９を押圧するパッキン押え２１が配設され、パッキン押え２１の上方に弁箱のヨーク部２５に挿入され弁軸１２にねじ込まれたヨークスリーブ２６が設けられ、ヨークスリーブ２６に嵌め込まれたハンドル２７を回転させて弁軸１２を上下動させることにより弁軸１２の下端に設けられた弁体１１で弁箱２内の弁座４を開閉する。弁軸１２の周囲のパッキン押え２１とヨークスリーブ２６の間にパッキン押え輪２０と一体に形成した保護筒２０ａを設ける。保護筒２０ａの上端外周が当接するガイド凹部２６ａをヨークスリーブ２６の下面に設ける。【選択図】図１
2011127653.tif 000002
【特許請求の範囲】
【請求項１】
弁箱の軸装部に弁軸が上下動自在に軸装され、前記弁箱の軸装部と前記弁軸の間にパッキンが介装され、前記パッキンの上方にパッキン押え輪を介して前記パッキンを押圧するパッキン押えが配設され、前記パッキン押えの上方に弁箱のヨーク部に挿入され前記弁軸にねじ込まれたヨークスリーブが設けられ、前記ヨークスリーブに嵌め込まれたハンドルを回転させて前記弁軸を上下動させることにより前記弁軸の下端に設けられた弁体で弁箱内の弁座を開閉する開閉弁において、前記弁軸の周囲の前記パッキン押えと前記ヨークスリーブの間に前記パッキン押え輪と一体に形成した保護筒を設け、前記保護筒の上端外周が当接するガイド凹部を前記ヨークスリーブの下面に設けたことを特徴とする開閉弁。
【発明の詳細な説明】
【技術分野】
【０００１】
本発明は、弁軸を上下動させることにより弁軸の下端に設けた弁体で弁箱内の弁座を開閉する開閉弁に関する。
【背景技術】
【０００２】
高圧流体や腐食性流体の流動を制御するための開閉弁においては、流体が外部に漏洩するのを防止するために、弁箱の軸装部と弁軸の間にパッキンが介装されている。例えば特許文献１には、弁箱の軸装部と弁軸の間に介装されたパッキンの上方にパッキン押え輪を介してパッキンを押圧するパッキン押えが配設され、パッキン押えの上方に弁箱のヨーク部に挿入され弁軸にねじ込まれたヨークスリーブが設けられ、ヨークスリーブに嵌め込まれたハンドルを回転させて弁軸を上下動させることにより弁軸の下端に設けた弁体で弁箱内の弁座を開閉する開閉弁が記載されている。
【先行技術文献】
【特許文献】
【０００３】
【特許文献１】実開平３−７７８８０号公報
【発明の概要】
【発明が解決しようとする課題】
【０００４】
上記従来の開閉弁においては、ごみやスケールあるいは雨水や塩水等の異物が弁軸とヨークスリーブ及びパッキン押えの間に侵入すると弁軸の変位抵抗が増大し、弁軸の円滑な上下動が妨げられたり弁軸が上下動できなくなったりする問題がある。パッキン押えの上面とヨークスリーブの下面の間に隙間がなければ異物が弁軸とヨークスリーブ及びパッキン押えの間に侵入することを防止できるが、摩耗や劣化等によりパッキンのシール性が低下した場合にパッキン押えを降下させてパッキンを増し締めすると、パッキン押えの上面とヨークスリーブの下面の間に隙間ができるためである。
【０００５】
したがって本発明が解決しようとする課題は、パッキン押えが降下してもパッキン押えの上面とヨークスリーブの下面の間に隙間を生じることのない開閉弁を提供することである。
【課題を解決するための手段】
【０００６】
上記の課題を解決するために、本発明の開閉弁は、弁箱の軸装部に弁軸が上下動自在に軸装され、前記弁箱の軸装部と前記弁軸の間にパッキンが介装され、前記パッキンの上方にパッキン押え輪を介して前記パッキンを押圧するパッキン押えが配設され、前記パッキン押えの上方に弁箱のヨーク部に挿入され前記弁軸にねじ込まれたヨークスリーブが設けられ、前記ヨークスリーブに嵌め込まれたハンドルを回転させて前記弁軸を上下動させることにより前記弁軸の下端に設けられた弁体で弁箱内の弁座を開閉する開閉弁において、前記弁軸の周囲の前記パッキン押えと前記ヨークスリーブの間に前記パッキン押え輪と一体に形成した保護筒を設け、前記保護筒の上端外周が当接するガイド凹部を前記ヨークスリーブの下面に設けたことを特徴とするものである。
【発明の効果】
【０００７】
本発明によれば、弁軸の周囲のパッキン押えとヨークスリーブの間にパッキン押え輪と一体に形成した保護筒を設け、保護筒の上端外周が当接するガイド凹部をヨークスリーブの下面に設けるので、パッキンを増し締めするためにパッキン押えを降下させても、保護筒は上端外周がヨークスリーブのガイド凹部に当接した状態を維持でき、パッキン押えの上面とヨークスリーブの下面の間に隙間を生じることがないという効果を奏する。
【図面の簡単な説明】
【０００８】
【図１】本発明の実施の形態に係わる開閉弁の断面図である。
【発明を実施するための形態】
【０００９】
本発明の実施の形態について、図１を参照して説明する。図１は本発明の開閉弁をグローブ弁に適用したものである。グローブ弁１の弁箱２は、内部に流体の通路３と、通路３の中央に形成された略水平環状の弁座４と、通路３の両端に形成され配管(不図示)が接続される配管接続部５及び６と、上端部に形成された接続フランジ７を有する。弁箱２の接続フランジ７に弁箱の軸装部８の下端部に形成された接続フランジ９をボルト１０により締結する。
【００１０】
弁箱の軸装部８に下端に弁座４を開閉する弁体１１を設けた弁軸１２を上下動自在に軸装する。弁体１１は上部の凹部を弁軸１２の下端に差込み凹部の上端をカシメルことにより弁軸１２の下端に固定する。弁軸１２の下部外周を取り囲んで金属ベローズ１３を設ける。金属ベローズ１３は、下端に弁体１１に溶接されたベローズリング１４を溶接により固定し、上端にベローズフランジ１５を溶接により固定する。ベローズフランジ１５は、外周を上下にガスケット１６及び１７を介して弁箱２と弁箱の軸装部８の間に挟持する。弁軸１２の金属ベローズ１３の上方に弁軸１２の回転を禁止するためにピン１８を設ける。
【００１１】
弁箱の軸装部８と弁軸１２の間にパッキン１９を介装し、パッキン１９の上方にパッキン押え輪２０を介してパッキン１９を押圧するパッキン押え２１を配設する。パッキン１９は、アイボルトピン２２により一端が弁箱の軸装部８に支持されたアイボルト２３及びアイボルトナット２４によりパッキン押え２１を締結することにより圧縮される。
【００１２】
パッキン押え２１の上方に弁箱のヨーク部２５に挿入され弁軸１２にねじ込まれたヨークスリーブ２６を設ける。ヨークスリーブ２６の上部にハンドル２７を嵌め込み、袋ナット２８を締結することにより、ハンドル２７を弁軸１２に一体的に結合する。ハンドル２７を回転させて弁軸１２を上下動させることにより弁体１１で弁座４を開閉する。弁軸１２の上端を袋ナット２８で覆うことにより、異物が弁軸１２の上端側から弁軸１２とヨークスリーブ２６の間に侵入することを防止できる。
【００１３】
弁軸１２の周囲のパッキン押え２１とヨークスリーブ２６の間にパッキン押え輪２０と一体に形成されパッキン押え２１を貫通した保護筒２０ａを設ける。保護筒２０ａの上端外周が当接するガイド凹部２６ａをヨークスリーブ２６の下面に設ける。パッキン１９を増し締めするためにアイボルトナット２４をねじ込んでパッキン押え２１を降下させても、保護筒２０ａは上端外周がガイド凹部２６ａの内周に当接した状態を維持できるので、パッキン押え２１の上面とヨークスリーブ２６の下面の間に隙間を生じることがない。
【００１４】
上記のグローブ弁の動作は次の通りである。図示の閉弁状態からハンドル２７を所定方向に回転させて弁軸１２を上昇させることにより、弁体１１が弁座４から離座して弁箱２の流体の通路３が開放され、流体が配管接続部５側から配管接続部６側に流動する。ハンドル２７を上記とは逆方向に回転させて弁軸１２を図示の位置まで降下させると、弁体１１が弁座４に着座して弁箱２の流体の通路３が閉止され、流体の流動が遮断される。
【産業上の利用可能性】
【００１５】
本発明は、弁軸を上下動させて弁体で弁座を開閉する開閉弁であれば、上述したグローブ弁に限らず、ゲート弁、ニードル弁、プラグ弁等のあらゆる種類のバルブに利用することができる。
【符号の説明】
【００１６】
１  グローブ弁
２  弁箱
３  通路
４  弁座
７  接続フランジ
８  弁箱の軸装部
１１  弁体
１２  弁軸
１３  金属ベローズ
１９  パッキン
２０  パッキン押え輪
２０ａ  保護筒
２１  パッキン押え
２５  弁箱のヨーク部
２６  ヨークスリーブ
２６ａ  ガイド凹部
２７  ハンドル
２８  袋ナット
【図１】
2011127653.tif 000003